【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
タッチスクリーンディスプレイを備えたデバイスにおいて、
前記タッチスクリーンディスプレイ上又はその近くの物理的オブジェクトの第１のジェスチャーを検知する段階と、
前記タッチスクリーンディスプレイ上に表示された、１組のデジタルオブジェクトに関連付けられた第１のデジタルオブジェクトを、前記第１のジェスチャーを検知する間に第１の方向に平行移動させる段階と、
前記第１のデジタルオブジェクトの以前隠れていたエッジが表示されている間の前記第１の動きの連続した検知に応答して、該第１のデジタルオブジェクトの該エッジを超えた区域を表示する段階と、
前記第１のジェスチャーが検知されなくなったことに応答して、前記第１のデジタルオブジェクトの前記エッジを超えた前記区域が表示されなくなるまで該第１のデジタルオブジェクトを第２方向に平行移動させる段階と、
前記第１のジェスチャーが検知されなくなった後に、前記タッチスクリーンディスプレイ上又はその近くの前記物理的オブジェクトの第２のジェスチャーを検知する段階と、
前記第１のデジタルオブジェクトの前記以前隠れていたエッジが表示されている間の前記第２のジェスチャーの検知に応答して、該第１のデジタルオブジェクトを前記第１の方向に平行移動させ、かつ前記デジタルオブジェクトの組における第２のデジタルオブジェクトを表示する段階と、
を含むことを特徴とするコンピュータ実施式方法。
【請求項２】
前記第１のジェスチャーを検知している間の前記平行移動する段階の前に、前記第１のデジタルオブジェクトの少なくとも１つのエッジは、前記第１の方向に前記タッチスクリーンディスプレイを超えて延びていることを特徴とする請求項１に記載のコンピュータ実施式方法。
【請求項３】
前記物理的オブジェクトは、指又はスタイラスであることを特徴とする請求項１に記載のコンピュータ実施式方法。
【請求項４】
前記第１のジェスチャーは、水平方向のスワイプジェスチャーであることを特徴とする請求項１に記載のコンピュータ実施式方法。
【請求項５】
前記デジタルオブジェクトの組は、１組のデジタル画像、１組のウェブページ、又は１組の電子文書であることを特徴とする請求項１に記載のコンピュータ実施式方法。
【請求項６】
前記デバイスは、携帯式電子デバイスであることを特徴とする請求項１に記載のコンピュータ実施式方法。
【請求項７】
ディスプレイと、
１つ又はそれよりも多くのプロセッサと、
メモリと、
前記メモリに記憶され、前記１つ又はそれよりも多くのプロセッサによって実行されるように構成されたコンピュータ可読コードであって、
タッチスクリーンディスプレイ上又はその近くの物理的オブジェクトの第１のジェスチャーを検知し、
前記タッチスクリーンディスプレイ上に表示された、１組のデジタルオブジェクトに関連付けられた第１のデジタルオブジェクトを、前記第１のジェスチャーを検知する間に第１の方向に平行移動させ、
前記第１のデジタルオブジェクトの以前隠れていたエッジが表示されている間の前記第１のジェスチャーの連続した検知に応答して、該第１のデジタルオブジェクトの該エッジを超えた区域を表示し、
前記第１のジェスチャーが検知されなくなったことに応答して、前記第１のデジタルオブジェクトの前記エッジを超えた前記区域が表示されなくなるまで該第１のデジタルオブジェクトを第２の方向に平行移動させ、
前記第１のジェスチャーが検知されなくなった後に、前記タッチスクリーンディスプレイ上又はその近くの前記物理的オブジェクトの第２のジェスチャーを検知し、及び
前記第１のデジタルオブジェクトの前記以前隠れていたエッジが表示されている間の前記第２のジェスチャーの検知に応答して、該第１のデジタルオブジェクトを前記第１の方向に平行移動させ、かつ前記デジタルオブジェクトの組における第２のデジタルオブジェクトを表示するための命令を含むコードと、
を含むことを特徴とする電子デバイス。
【請求項８】
コンピュータ可読記憶媒体であって、
タッチスクリーンディスプレイを備えた電子デバイスによって実行された時に、該デバイスに
前記タッチスクリーンディスプレイ上又はその近くの物理的オブジェクトの第１のジェスチャーを検知させ、
前記タッチスクリーンディスプレイ上に表示された、１組のデジタルオブジェクトに関連付けられた第１のデジタルオブジェクトを、前記第１のジェスチャーを検知する間に第１の方向に平行移動させ、
前記第１のデジタルオブジェクトの以前隠れていたエッジが表示されている間の前記第１のジェスチャーの連続した検知に応答して、該第１のデジタルオブジェクトの該エッジを超えた区域を表示させ、
前記第１のジェスチャーが検知されなくなったことに応答して、前記第１のデジタルオブジェクトの前記エッジを超えた前記区域が表示されなくなるまで該第１のデジタルオブジェクトを第２の方向に平行移動させ、
前記第１のジェスチャーが検知されなくなった後に、前記タッチスクリーンディスプレイ上又はその近くの前記物理的オブジェクトの第２のジェスチャーを検知させ、かつ
前記第１のデジタルオブジェクトの前記以前隠れていたエッジが表示されている間の前記第２のジェスチャーの検知に応答して、該第１のデジタルオブジェクトを前記第１の方向に平行移動させ、かつ前記デジタルオブジェクトの組における第２のデジタルオブジェクトを表示させる、
命令を含む、
ことを特徴とするコンピュータ可読記憶媒体。
【請求項９】
前記第１のジェスチャーは前記第１の方向におけるものであって、前記第２のジェスチャーは前記第２の方向におけるものである請求項１に記載のコンピュータ実施式方法。
【請求項１０】
前記第２のデジタルオブジェクトは前記第１のデジタルオブジェクトを置き換える請求項１に記載のコンピュータ実施式方法。
【請求項１１】
前記第１のジェスチャーは前記第１の方向におけるものであって、前記第２のジェスチャーは前記第２の方向におけるものであることを特徴とする請求項７に記載の電子デバイス。
【請求項１２】
前記第２のデジタルオブジェクトは前記第１のデジタルオブジェクトを置き換えることを特徴とする請求項７に記載の電子デバイス。
【請求項１３】
前記第１のジェスチャーを検知している間の前記平行移動する段階の前に、前記第１のデジタルオブジェクトの少なくとも１つのエッジは、前記第１の方向に前記タッチスクリーンディスプレイを超えて延びていることを特徴とする請求項７に記載の電子デバイス。
【請求項１４】
前記物理的オブジェクトは、指又はスタイラスであることを特徴とする請求項７に記載の電子デバイス。
【請求項１５】
前記第１のジェスチャーは、水平方向のスワイプジェスチャーであることを特徴とする請求項７に記載の電子デバイス。
【請求項１６】
前記デジタルオブジェクトの組は、１組のデジタル画像、１組のウェブページ、又は１組の電子文書であることを特徴とする請求項７に記載の電子デバイス。
【請求項１７】
前記デバイスは、携帯式電子デバイスであることを特徴とする請求項７に記載の電子デバイス。
【請求項１８】
前記第１のジェスチャーは前記第１の方向におけるものであって、前記第２のジェスチャーは前記第２の方向におけるものである請求項８に記載のコンピュータ可読記憶媒体。
【請求項１９】
前記第２のデジタルオブジェクトは前記第１のデジタルオブジェクトを置き換える請求項８に記載のコンピュータ可読記憶媒体。
【請求項２０】
前記第１のジェスチャーを検知している間の前記平行移動する段階の前に、前記第１のデジタルオブジェクトの少なくとも１つのエッジは、前記第１の方向に前記タッチスクリーンディスプレイを超えて延びていることを特徴とする請求項８に記載のコンピュータ可読記憶媒体。
【請求項２１】
前記物理的オブジェクトは、指又はスタイラスであることを特徴とする請求項８に記載のコンピュータ可読記憶媒体。
【請求項２２】
前記第１のジェスチャーは、水平方向のスワイプジェスチャーであることを特徴とする請求項８に記載のコンピュータ可読記憶媒体。
【請求項２３】
前記デジタルオブジェクトの組は、１組のデジタル画像、１組のウェブページ、又は１組の電子文書であることを特徴とする請求項８に記載のコンピュータ可読記憶媒体。
【請求項２４】
前記デバイスは、携帯式電子デバイスであることを特徴とする請求項８に記載のコンピュータ可読記憶媒体。